(57)【要約】【課題】コンクリート杭の肉厚内に流体供給管を設けた特殊な杭を用いることなく、オーガドリルによる排土を排出しないようにした技術を提供する。【解決手段】オーガドリルの下端部材１０のスクリュー羽根１３の一部を切欠き、切欠部に切欠いた元のスクリュー羽根１３とほぼ同形のフラップ２１をスクリュー羽根１３からピン２５を介して回動自在に吊下し、フラップ２１を元のスクリュー羽根とほぼ同位置に保持するストッパ３１を設け、フラップ２１はオーガドリルの正回転時にピン２５を中心に上方に回動してスクリュー羽根１３の排土の排出通路を塞ぐように形成した。【選択図】        図１
2004324271.tif 000002
【特許請求の範囲】
【請求項１】
オーガドリルの下端部材のスクリュー羽根の一部を切欠き、該切欠部に切欠いた元のスクリュー羽根とほぼ同形のフラップをスクリュー羽根からピンを介して回動自在に吊下し、該フラップを元のスクリュー羽根とほぼ同位置に保持するストッパを設け、該フラップはオーガドリルの正回転時に前記ピンを中心に上方に回動してスクリュー羽根の排土の排出通路を塞ぐように形成したことを特徴とするオーガドリルの排土抑制装置。
【請求項２】
前記スクリュー羽根の切欠の大きさをスクリュー羽根の０．２〜０．３ピッチ分としたことを特徴とする請求項１記載のオーガドリルの排土抑制装置。
【発明の詳細な説明】
【０００１】
【発明の属する技術分野】
本発明は、排土を抑制する機構を備えたオーガドリルの排土抑制装置に関する。
【０００２】
【従来の技術】
オーガドリルを用いて杭を地中に沈設する技術において、排土を抑制する技術が種々開発されている。
【０００３】
例えば、沈設すべきコンクリート杭の外径と一致する径のオーガドリルを用いて、杭の埋設深度まで地中を掘進し、オーガを逆転して掘削土を地上に排出しないようにオーガドリルを引上げ、一方、杭軸方向に貫通する注入孔を肉厚内に設けたコンクリート杭の下端に掘削用羽根を取付けておき、注入孔から圧力水又は泥水及び圧縮空気を注入しながらコンクリート杭をオーガ掘進跡に回転沈下させる技術がある（例えば、特許文献１参照。）。
【０００４】
この技術では、コンクリート杭として肉厚内を杭軸方向に貫通する注入孔を備えた杭を用い、注入孔の上端に流体供給管を連結し、注入孔を通って杭の下端に、圧縮空気、圧力水、泥水又はセメントミルクを供給する。杭の沈下によって排除される土砂は、泥土状となって杭の中空孔に進入し杭内を上昇するが、排除される土砂の大部分は杭の中空孔内に留まって圧密され、その一部のみが杭の上端から溢出する。従って、排土量が著しく減少し、排土処理費用が激減する。なお、泥土の一部は杭の外周面と地層との間に進入し、滑材の作用をなすので杭の沈下が容易になる。
【０００５】
また、プレストレストコンクリート杭の縦緊張材として中空ＰＣ鋼棒を用い、杭下端に掘削羽根を取付け、流体供給管に圧縮空気及び圧力水を供給して中空ＰＣ鋼棒内を通って杭下端から噴射させ、杭に回転力を付与して杭を地中に沈下させ、杭下端が支持層に到達後、セメントミルクを圧入しながら杭をさらに回転沈下させ、杭先端と支持層地盤と一体化させる技術がある（例えば、特許文献２参照。）。この技術は、プレストレストコンクリート杭の縦緊張材として中空ＰＣ鋼棒を用いる特殊な技術である。
【０００６】
【特許文献１】
特開２００２−１９４７３２号公報（第２−４頁、図１）
【特許文献２】
特開２００２−９７６３９号公報（第２−４頁、図１）
【０００７】
【発明が解決しようとする課題】
本発明は以上のようなコンクリート杭の肉厚内に流体供給管を設けた特殊な杭を用いることなく、オーガドリルによる排土を排出しないようにした技術を提供することを目的とするものである。
【０００８】
【課題を解決するための手段】
本発明は、上記問題点を解決するためになされたもので、その技術手段は、オーガドリルの下端部材のスクリュー羽根の一部を切欠き、該切欠部に切欠いた元のスクリュー羽根とほぼ同形のフラップをスクリュー羽根から回動自在にピンを介して吊下し、該フラップを元のスクリュー羽根とほぼ同位置に保持するストッパを設け、該フラップはオーガドリルの正回転時に前記ピンを中心に上方に回動してスクリュー羽根の排土の排出通路を塞ぐように形成したことを特徴とするオーガドリルの排土抑制装置である。
【０００９】
フラップは、上端を水平なピン等により吊下し、下端が自由端をなす揺動自在な板状の部材である。本発明では、このフラップを、もとのスクリュー羽根の形状とほぼ同様な形状のものとし、その下端部をストッパで受けて、元のスクリュー羽根とほぼ同様な形状を保つように保持する。オーガドリルが正回転すると、排土はスクリュー羽根上を上昇してくる。この排土がフラップを押し上げる。押し上げられたフラップは、スクリュー羽根の排土の上昇通路を塞ぎ、かつ元のスクリュー羽根の切欠部が開口するので、排土はこの切欠部を通って上昇を妨げられながら圧密される。従って、排土を地上に排出しない。
【００１０】
前記スクリュー羽根の切欠の大きさは、スクリュー羽根のピッチの０．２〜０．３倍分とするとよい。０．２倍未満では排土の排出通路を塞ぐフラップの大きさが不十分となり、０．３倍を越えると、フラップの回動がスクリュー羽根に邪魔されて円滑でなくなる。０．２４〜０．２６倍程度が最も好ましい。
【００１１】
【発明の実施の形態】
以下図面を参照して本発明の実施の形態を説明する。
【００１２】
図１は本発明の実施例のオーガドリルの最下端部材１０を示す側面図図２はそのＡ−Ａ矢視図である。
【００１３】
本発明のオーガドリルは、オーガドリルの下端部材のスクリュー羽根の一部を切欠き、該切欠部に切欠いた元のスクリュー羽根とほぼ同形のフラップをスクリュー羽根からピンを介して回動自在に吊下し、該フラップを元のスクリュー羽根とほぼ同位置に保持するストッパを設け、該フラップはオーガドリルの正回転時に前記ピンを中心に上方に回動してスクリュー羽根の排土の排出通路を塞ぐように形成したことを特徴とするオーガドリルの排土抑制装置である。
【００１４】
この最下端部材１０は上端に継手部１１を備え軸１２の周囲にスクリュー羽根１３を備え、その下方に流体噴出１５、掘削刃物１６を備えている。
【００１５】
本発明のオーガドリルは、この掘削刃物１６の上方の部分のスクリュー羽根１３の一部を切欠き、この切欠き部分にフラップ２１を設ける。フラップ２１は、切欠いたスクリュー羽根の部分にピン２５によって吊下され、フラップ２１の下端部はストッパ３１によって、ほぼ元のスクリュー羽根と同様の形になるように支持されている。
【００１６】
ピン２５は、ブラケット２３により吊下され、フラップ２１の上端のピン受け２４が挿入されている。フラップ２１の背面２２はストッパ３１に支持されている。フラップ２１の下端部２６はストッパ３１に支持されていると共に少し上向きに曲げてある。オーガドリルを正回転させると、フラップ２１は、スクリュー羽根１３上を上昇してくる排土に押されて下端２６が持ち上がり、矢印２７で示すように回動する。フラップ２１ａで示すように回動すると、フラップ２１はスクリュー羽根１３の排土経路を塞ぎ、廃土の上昇を抑制する。
【００１７】
【発明の効果】
本発明によれば、オーガドリルはが回転のとき、排土が上昇するのを効果的に抑制するので、排土が極端に減少するという優れた効果を奏する。
【図面の簡単な説明】
【図１】実施例のオーガドリルの下端部材の側面図である。
【図２】図１のＡ−Ａ矢視図である。
【符号の説明】
１０    最下端部材
１１    継手部
１２    軸
１３    スクリュー羽根
１５    流体噴出
１６    掘削刃物
２１    フラップ
２１ａ    フラップ
２２    背面
２３    ブラケット
２４    ピン受け
２５    ピン
２６    下端部
３１    ストッパ
２７    矢印
【図１】
2004324271.tif 000003
【図２】
2004324271.tif 000004